(57)【要約】【課題】デスクパーティションについて、デスク天板上への取り付けおよび取り外しをおこなうことなく、デスクの用途に応じて、天板上の全体に広がる空間を個別の作業空間へと区画する状態と開放された状態とに簡単に切り替え可能とする。【解決手段】デスクパーティションを、デスクの天板上に載置するベース体１０と、ベース体10に下方から支持されるパネル体２０とからなるものとする。ベース体１０は、長手方向の両端面および上面において開口するレール溝を有し、パネル体２０の下部がこのレール溝へと収容される。パネル体２０は、ベース体１０のレール溝に沿ってスライド可能である。パネル体２０を手前側に引き出すと、天板上の全体空間が隣接する二つの個別の作業空間へと仕切られる。パネル体２０を奥側に押し戻すと、仕切りがなくなって天板上の空間全体が開放される。ベース体１０は天板の奥側に設置しておき、パネル体２０だけを天板の手前側に引き出しておくことなどが可能であり、レイアウトの自由度が高い。【選択図】図２
2013220129.tif 000002
【特許請求の範囲】
【請求項１】
長手方向の両端面および上面に開口するレール溝を有するベース体と、
下部が前記レール溝に収容されることで両面が鉛直方向を向くように設置され、前記レール溝に沿ってスライド可能なパネル体と、を備えるデスクパーティション。
【請求項２】
前記パネル体の下部に固定されて前記ベース体のレール溝に収容され、かつその長手方向の寸法が前記ベース体の長手方向の寸法よりも小さいスライダをさらに備え、
前記ベース体のレール溝の両端面の開口は、前記パネル体の下部が通過可能でありかつ前記スライダが通過不能な寸法となっている、デスクパーティション。
【請求項３】
前記ベース体のレール溝は、その内面に長手方向に延びる嵌合凹凸条を有し、
前記スライダは、前記レール溝の凹凸条にはめ合わされる嵌合凹凸部を有する、請求項２に記載のデスクパーティション。
【請求項４】
前記ベース体は、その底面に粘着部を有する請求項1から３のいずれかに記載のデスクパーティション。
【発明の詳細な説明】
【技術分野】
【０００１】
本発明は、デスクの天板上に設置して、天板上の空間を個別の作業空間に区画するデスクパーティションに関する。
【背景技術】
【０００２】
デスクの天板上に両面が鉛直方向を向くようにして設置され、その天板上の全体に広がる空間を、作業者ごとの個別の作業空間へと区画するために用いられるパネル状のデスクパーティションが知られている。
特許文献1および２のように、従来のデスクパーティションはいずれも、天板上にそのデスクパーティションをはめ合いやボルト止め等の適宜手段により固定する形式を採用していた。
【０００３】
ところで、会議をおこなう時など天板上の全体を開放された空間として用いたい場合には、デスクパーティションが存在すると、視界が遮られるなどして邪魔になる。これに限られず、デスクの用途に応じて、デスクパーティションによる区画が必要なときと、区画が不要なときとがある。
しかし、従来のデスクパーティションでは、デスクの用途に応じて、デスク天板への取り付けおよび取り外しを繰り返す必要があり、作業が面倒であった。
【先行技術文献】
【特許文献】
【０００４】
【特許文献１】特開平１０−２７３９４４号公報
【特許文献２】実公昭５６−３５０７９号公報
【発明の概要】
【発明が解決しようとする課題】
【０００５】
そこで本発明の解決すべき課題は、デスクパーティションについて、デスク天板上への取り付けおよび取り外しをおこなうことなく、デスクの用途に応じて、天板上の全体に広がる空間を個別の作業空間へと区画する状態と開放された状態とに簡単に切り替え可能とすることである。
【課題を解決するための手段】
【０００６】
上記した課題を解決するため、本発明のデスクパーティションを、ベース体と、パネル体とからなるものとし、そのベース体が、長手方向の両端面および上面において開口するレール溝を有し、そのパネル体が、両面が鉛直方向を向いた状態で下部がベース体のレール溝へと収容されるようにし、パネル体をベース体のレール溝に沿ってスライド可能に構成したのである。
【発明の効果】
【０００７】
本発明のデスクパーティションを以上のように構成し、このデスクパーティションをデスクの天板上で、ベース体の長手方向がデスクの奥行き方向にほぼ一致するように設置すると、パネル体がデスクの奥行き方向にほぼ一致する方向にスライド可能となる。
このため、パネル体を手前側に引き出す（前進させる）と、このパネル体により天板上の全体空間が隣接する二つの個別の作業空間へと仕切られ、パネル体を奥側に押し戻す（後退させる）と、隣接する個別の作業空間との仕切りがなくなって天板上の空間全体が開放される。
【０００８】
したがって、デスクパーティションを天板上に載せて、そのパネル体をスライドさせるだけで、天板上の空間を複数の作業空間に区画された状態と開放された状態に切り替え可能となり、デスクの用途に応じて、デスクパーティションを天板上に取り付けたり取り外したりする必要がなくなる。
【０００９】
パネル体をベース体に対してスライド可能に構成しているため、たとえばベース体はデスクの天板の奥側に設置しておき、パネル体だけを天板の手前側に引き出しておくことなどパネル体とベース体の位置をずらして設置することが可能であり、レイアウトの自由度が高い。
【図面の簡単な説明】
【００１０】
【図１】実施形態のデスクパーティションの斜視図
【図２】実施形態のデスクパーティションの使用状態を示す斜視図
【図３】実施形態のデスクパーティションの分解斜視図
【図４】ベース体およびスライダの斜視図
【図５】実施形態のデスクパーティションの縦断面図
【図６】実施形態のデスクパーティションのスライド状態を示す正面図
【発明を実施するための形態】
【００１１】
以下、図面を参照しつつ本発明の実施形態について説明する。
【００１２】
実施形態のデスクパーティションは、図１および図２のように、下側のベース体１０と、上側のパネル体２０と、を備える。
そのベース体１０は、デスクの天板上において、その長手方向がデスクの奥行き方向にほぼ一致した状態に載置され、そのパネル体２０は、これを下方から支持するベース体１０の長手方向に沿ってスライド可能となっている。
【００１３】
そして、パネル体２０をデスクの手前側に引き出すことで天板上の空間（天板より手前側の空間も含む、以下同様）を隣接する二つの個別の作業空間へと仕切った状態と、パネル体２０を奥側に押し戻すことで天板上の空間を全体的に開放された状態とに、簡単に切り替えできるようになっている。
【００１４】
詳しくは、図３および図４のように、ベース体１０は、レール１１と、レールの底面に固定される粘着部１６と、レール１１の長手方向の両端面に固定されるエンドキャップ１７と、からなる。
【００１５】
そのレール１１は、アルミニウム等の公知の金属材料を、押し出し成型等の公知の成型方法により細長く成型した部材であり、その外面は水平な底面、傾斜する両側面、および水平な上面からなり、その断面形状は、上方に向って窄まる略台形となっている。
【００１６】
またレール１１には、その長手方向に延びるレール溝１２が形成されており、このレール溝１２はレール１１の上面および両端面において開口している。
このレール溝１２の内面は、水平な底面および垂直な両側面からなり、その断面形状は、略長方形となっている。
【００１７】
さらに、図５のように、レール溝１２の両側面の下部は、それぞれ断面略半円形に窪んで、レール溝１２の長手方向に延びる一対の嵌合凹条１３となっている。またレール溝１２の両側面の嵌合凹条１３より上部は、それぞれ断面略矩形に水平に突出して、レール溝１２の長手方向に延びる一対の支持凸条１４となっている。
【００１８】
一方、図５のように、レール溝１２の上部は、上方に向けてやや窄まっている。これに対応してレール１１の上部は、厚みが均一でかつレール１１の他の箇所よりも薄肉に形成され、上方に向けて互いに接近する向きに傾斜する一対の抜け止め片１５となっている。
ここで、一対の抜け止め片１５の先端間の距離は、上述した一対の支持凸条１４の先端間の距離よりも小さくなっている。
【００１９】
レール１１の底面の裏側には、公知の粘着性材料から形成された粘着部１６が貼り付けられている。
したがって、レール１１をデスクの天板上に載置した場合には、粘着部１６の天板に対する粘着力により、ベース体１０全体がずれ動くことが抑制できるようになっている。
なお図５のように、レール１１の底面の裏側は、側縁部を除いて粘着部１６の厚み分か厚み分よりもやや小さく窪んでおり、この窪んだ箇所にのみ粘着部１６を貼り付けられることで、底面全体が概ねフラットになっている。このため、レール１１をデスクの天板上に載置した際に、ベース体１０全体がたつくことが防止される。
【００２０】
レール１１の両端面には、パネル体２０の抜け止めのために、一対のエンドキャップ１７が被せされている。
図４のように、エンドキャップ１７は、合成樹脂等から形成されており、閉塞板１７ａと、差込片１７ｃと、からなる。
閉塞板１７ａは、レール１１の断面とほぼ相似形の略台形状であり、その上辺から下辺に向けて延びる矩形の開口１７ｂが設けられている。
また、差込片１７ｃは、閉塞板１７ａの開口縁のうち下縁および両側縁に連設されて断面コの字型をなしており、これをレール１１の両端面の開口からレール溝１２内に差し込むことでエンドキャップ１７のレール１１への取り付けがなされる。
【００２１】
図３のように、長方形のパネル体２０は、公知の合成樹脂材料から形成されており、その両面にはパイルコーティング等の表面処理が適宜なされている。
ここでパネル体２０の長手方向の長さ（幅）は、ベース体のレールの長手方向の長さよりも大きくなっている。
【００２２】
図３のように、このパネル体２０の下部中央には、スライダ３０が固定されている。
スライダ３０は、公知の合成樹脂材料により一体成型された、底板と、底板の両側上面に連設される平行一対の側板とからなり、その断面形状は略コの字型となっている。
図５のように、このスライダ３０の底板の両側は、それぞれ断面半円形に膨らんで長手方向に延びる嵌合凸部３１となっている。また、スライダ３０の両側板の上部は、互いに離反する向きに傾斜して支持片３２となっている。
スライダ３０は、パネル体２０の下方から、その両側板がパネル体の両面を挟み込み、その底板がパネル体の下縁に当接するように嵌め込まれ、ステープル等によりパネル体２０に対して固着されている。
ここでスライダ３０の長手方向の長さは、レール１１の長手方向の長さよりもはるかに小さくなっている。
【００２３】
スライダ３０を固定したパネル体２０のベース体１０に対する取り付けに際しては、ベース体１０のレール１１の端面開口から、パネル体２０の下部およびスライダ３０をレール溝１２内へと差し込むことによる。
【００２４】
ここで図５のように、パネル体２０の厚みは、レール溝１２の中で、最も距離の短い、一対の抜け止め片１５の先端間の距離よりも若干小さく寸法調整されている。そのため、パネル体２０の下部は、余裕をもってレール溝内へと収容される。
スライダ３０は、その底板の嵌合凸部３１がレール１１の嵌合凹条１３にはまり込み、その両側板の外面下部がレール１１の支持凸条１４の先端にわずかに接触し、その両側板上部の支持片３２の先端がレール１１の抜け止め片１５の内面の傾斜中途においてわずかに接触するように、形状や寸法が調整されている。
スライダ３０の両側板間の距離は、レール１１の抜け止め片１５の先端間の距離よりも大きく寸法調整されており、これにより、スライダ３０およびこれと一体のパネル体２０は、ベース体１０の上方に対して抜け止めされている。
【００２５】
スライダ３０は、レール溝１２に沿ってスライド可能となっているが、その嵌合凸部３１がレール１１の嵌合凹条１３にはまり込んでガイドされているため、スライダ３０と一体のパネル体２０は上下動等することなく、スムーズにスライドできるようになっている。
【００２６】
またスライダ３０は、その支持片３２の先端とレール１１の抜け止め片１５の内面との接触により上部において支持され、その側板下部とレール１１の支持凸条１４の先端との接触により下部において支持されている。
このようにスライダ３０が上下において支持されているため、これと一体のパネル体２０がスライドする際に、その両面方向に傾くのが防止されている。
【００２７】
さらに、スライダ３０の支持片３２の先端とレール１１の抜け止め片１５の内面との接触、および側板下部とレール１１の支持凸条１４の先端との接触により、スライダ３０と一体のパネル体２０をスライドさせる際には、適度な摩擦抵抗が得られるようになっている。
したがって、デスクパーティションに衝撃がかかった場合等に、意図せずしてパネル体２０がスライドしてしまうことが防止される。
【００２８】
このようにしてパネル体２０をレール１１に取り付けた後に、上述したようにレール１１の両端部にエンドキャップ１７を取り付ける。
エンドキャップ１７の開口１７ｂは、その開口幅がパネル体２０の厚みよりもわずかに大きく寸法調整されているため、パネル体２０はこの開口を通過可能になっている。
他方、スライダ３０はその両側板間の距離がこの開口１７ｂの幅よりもやや大きく寸法調整されているため、開口１７ｂを通過することができない。
【００２９】
したがって、スライダ３０はベース体１０の両端に対して抜け止めされており、図６（ａ）に示すような中間位置から、図６（ｂ）の実線および破線でしめす限界位置まで、ベース体１０の長手方向の両端部間でのみスライド可能である。
これに伴い、スライダ３０と一体のパネル体２０についても、そのスライド範囲が規制されている。
【００３０】
今回開示された実施形態はすべての点で例示であって制限的なものではないと考慮されるべきである。本発明の範囲は特許請求の範囲によって示され、特許請求の範囲と均等の意味および範囲内でのすべての修正と変形を含むものであることが意図される。
【００３１】
たとえば、嵌合凹条１３および嵌合凸部３１の数、位置、形状は実施形態に限定されず、要するにレール溝１２とスライダ３０が凹凸嵌合してスライダ３０がレール溝１２の長手方向にガイドされるようになっていればよい。実施形態とは逆に、レール溝１２に嵌合凸条を設け、スライダ３０に嵌合凹部を設けてもよい。
また、支持凸条１４および支持片３２の数、位置、形状も実施形態に限定されず、要するにスライダ３０がレール溝１２内において、上下に支持されており、その傾斜が防止されるようになっていればよい。
【符号の説明】
【００３２】
１０  ベース体
１１  レール
１２  レール溝
１３  嵌合凹条
１４  支持凸条
１５  抜け止め片
１６  粘着部
１７  エンドキャップ
１７ａ  閉塞板
１７ｂ  開口
１７ｃ  差込片
２０  パネル体
３０  スライダ
３１  嵌合凸部
３２  支持片
【図１】
2013220129.tif 000003
【図２】
2013220129.tif 000004
【図３】
2013220129.tif 000005
【図４】
2013220129.tif 000006
【図５】
2013220129.tif 000007
【図６】
2013220129.tif 000008